(57)【特許請求の範囲】
【請求項１】
第１の長さから第２の長さへ縦軸方向に伸びる絶縁ハウジングであって、
（ａ）少なくとも接点の一部及びケーブルのセクションを含むように組み立てられて配置され、接地線編組を含んで接点に接続するように適応される第１の通路と、
（ｂ）前記絶縁ハウジングの外面から、前記第１の通路まで伸びている、少なくとも１つの第２の通路と、
（ｃ）前記絶縁ハウジングの外面内のチャネルとを有する前記絶縁ハウジング、及び
第１の端部から第２の端部へ接地シェルの縦軸方向に伸び、前記絶縁ハウジングと嵌合するように配置されて組み立てられ、前記絶縁ハウジングの各々の前記第２の通路に挿入可能な少なくとも１つの脚部を含み、前記脚部は接地線編組を嵌合しかつ分離するために、前記第１の通路への方向、及び反対方向へ屈曲可能であり、更に、前記絶縁ハウジングの前記チャネルと嵌合するために組み立てられ、配置される領域を含む導電接地シェルから成ることを特徴とするコネクタ組立部品。
【請求項２】
前記第１の通路が前記第１の長さにおける前記接点の少なくとも一部、前記第２の長さにおけるケーブルの前記セクションの第１の被覆されたセグメント、及び前記接点に隣接するケーブルの前記セクションの露出された中心コンダクタを含むように組み立てられて配置され、前記少なくとも１つの第２の通路が前記第２の長さに配置され、前記チャネルが前記第１の長さに配置され、前記少なくとも１つの脚部が前記第１の端部に配置され、前記領域が前記第２の端部に配置されることを特徴とする、請求項１記載のコネクタ組立部品。
【請求項３】
前記少なくとも１つの第２の通路が２つの通路を含み、更に、前記少なくとも１つの脚部が２つの脚部を含み、各脚部は各々前記第２の通路に挿入可能で、各接地線編組を嵌合しかつ分離するために前記第１の通路の方向及び反対方向に曲げることができることを特徴とする、請求項１記載のコネクタ組立部品。
【請求項４】
前記チャネルがベース、前記ベースのエッジから伸びて第１の凹部を提供するために形成された窪んだ場所に配置された第１の壁体、及び前記ベースの対向するエッジから伸びて対向する第２の凹部を提供するために形成される窪んだ場所に配置された対向する第２の壁体から成り、更に前記領域が前記第１の凹部及び対向する前記第２の凹部の内部に各々伸びて嵌合するように組み立てられ配置された第１のフランジ及び第２のフランジから成ることを特徴とする、請求項１記載のコネクタ組立部品。
【請求項５】
前記絶縁ハウジングが前記絶縁ハウジング外面から前記第１の通路まで前記第１の長さにおいて伸びている第３の通路を更に含むことを特徴とする、請求項２記載のコネクタ組立部品。
【請求項６】
前記２つの第２の通路が前記ハウジングの縦軸に関して約９０度だけ円周方向に互いに間隔をおかれ、更に前記２つの脚部が前記導電接地シェルの縦軸に関して９０度だけ円周方向に互いに間隔をおかれていることを特徴とする、請求項３記載のコネクタ組立部品。
【請求項７】
前記少なくとも１つの第２の通路に隣接する窪んだ場所に配置された領域を更に含み、前記窪んだ場所に配置された領域の高さが前記少なくとも１つの脚部の厚さと実質的に等しいことを特徴とする、請求項１記載のコネクタ組立部品。
【請求項８】
前記接点が前記第２の長さと反対方向の前記ハウジングの縦軸方向に動かないように前記第１の通路内に含まれる前記接点と嵌合するように組み立てられ配置された隣接部を前記第３の通路が含むことを特徴とする、請求項５記載のコネクタ組立部品。
【請求項９】
前記絶縁ハウジングが前記第１の通路に隣接する前記第１の長さにおいて対面する溝を含み、前記対面する溝は前記接点から伸びる対向するタブと嵌合するように組み立てられて配置されることを特徴とする、請求項１記載のコネクタ組立部品。
【請求項１０】
前記絶縁ハウジングの前記第１の長さが前記絶縁ハウジングの前記第２の長さと一体化した第１の構成要素と、前記第１の構成要素と第２の構成要素との間で前記第１の通路を提供するために前記第１の構成要素に取り付けられるように組み立てられて配置された前記第２の構成要素を含むことを特徴とする、請求項２記載のコネクタ組立部品。
【請求項１１】
接点を絶縁ハウジングの一端部における第１の通路内部に配置する段階と、
コンダクタ及び接地線編組を有するケーブルを前記絶縁ハウジングの反対側の端部における前記第１の通路内部に挿入する段階と、
前記第１の通路内で前記接点及び前記ケーブルを電気的に接続し、
導電接地シェルを前記絶縁ハウジングに滑り込ませる段階と、
少なくとも１つの脚部が前記接地線編組と電気的に接触し、少なくとも１つの第２の通路が前記第１の通路を横切るまで、前記導電接地シェルの前記少なくとも１つの脚部を前記絶縁ハウジングの前記少なくとも１つの第２の通路に挿入する段階とから成ることを特徴とする、ケーブルの接地方法。
【請求項１２】
前記配置する段階が前記接点の少なくとも１つのタブを、前記接点が前記対向する端部と反対側に動かないように前記絶縁ハウジングの第３の通路により提供され、前記第３の通路は前記第１の通路を横切る隣接部と反対側に曲げる段階を更に含むことを特徴とする、請求項１１記載のケーブルの接地方法。
【請求項１３】
前記滑り込ませる段階の前に前記絶縁ハウジング内に提供されたチャネルを前記導電接地シェルの嵌合領域と一直線に並べる段階を更に含み、前記滑り込ませる段階が前記導電接地シェルを前記絶縁ハウジングに滑り込ませる間に前記嵌合領域を前記チャネルと嵌合させる段階を更に含むことを特徴とする、請求項１１記載のケーブルの接地方法。
【請求項１４】
前記配置する段階の前に前記接点の少なくとも１つのタブを前記絶縁ハウジングの少なくとも１つの嵌合溝と一直線に並べる段階を更に含み、前記接点を前記第１の通路内に配置する間に前記配置する段階が前記少なくとも１つのタブを前記少なくとも１つの溝と一直線に並べる段階を更に含むことを特徴とする、請求項１１記載のケーブルの接地方法。
【請求項１５】
絶縁ハウジングの一端部における第１の構成要素の第１の通路の第１の部分内部に接点を配置する段階と、
コンダクタ及び接地線編組を有するケーブルを前記絶縁ハウジングの反対側の端部において前記第１の通路に挿入する段階と、
前記第１の通路内で前記接点と前記ケーブルを電気的に接続する段階と、
第２の構成要素を第１の構成要素に取り付けることにより、前記接点及び前記ケーブルを前記第１の構成要素の前記第１の通路の前記第１の部分と前記絶縁ハウジングの前記第２の構成要素の前記第１の通路の第２の部分との間に挟む段階と、
導電接地シェルを前記絶縁ハウジングに滑り込ませる段階と、
少なくとも１つの脚部が前記導電接地シェルと電気的に接触し、少なくとも１つの第２の通路が前記第１の通路を横切るまで、前記接地導電シェルの前記少なくとも１つの脚部を前記絶縁ハウジングの前記少なくとも１つの第２の通路に挿入する段階とから成ることを特徴とする、ケーブルの接地方法。
【発明の詳細な説明】
【０００１】
【発明の属する技術分野】
本発明は、同軸ケーブルに使用するコネクタ組立部品に関する。更に詳細には、本発明は自動車産業でラジオ用に使用される従来のアンテナコネクタに（制限なしで）有用であるコネクタ組立部品に関する。
【０００２】
【従来の技術】
同軸ケーブルの使用を含む多くの応用において、中心コンダクタの長さを露出するために、ケーブルの一端または両端の被覆をはぐことは公知である。一般的に、接地線編組の長さがケーブル上に折り返される。諸事例では、金属スリーブは被覆をはがれた端部に隣接した同軸ケーブルの外部周辺ＰＶＣ表層または外被に端を曲げられ、接地線編組は金属スリーブ上に折り返される。金属シェルはまた、被覆をはがれた端部に隣接して提供されるかもしれず、接地線編組は金属スリーブ及び金属シェルに挟まれている。この方法で加工されたケーブルは、例えば自動車産業でラジオ用に使用されるような従来のアンテナコネクタと一緒に使用される。この種の使用では、この方法で準備される同軸ケーブルの各端部は、機械的かつ電気的に取り付けられるオスかメスのコネクタのようなコネクタを各々が有することができる。接地線編組が適切に加工されない場合、不満足な接地の傾向があるかもしれないことは公知である。この種の不満足な接地は、アンテナケーブルの使用の間すぐに、または事実上間欠的に起こるかもしれず、将来起きるかもしれない。
【０００３】
【発明が解決しようとする課題】
本発明の目的は、ケーブルに使用する改良型のコネクタ組立部品を提供することである。
【０００４】
更に、本発明の他の目的は、接地線の長さを露出するためにケーブルの外装の一部を取り外す必要なしにケーブル接地線編組を導電的に嵌合するために、同軸ケーブルの端部に取り付けることができる改良型のコネクタ組立部品を提供することである。
【０００５】
本発明の他の目的は、アンテナケーブルに使用する改良型のコネクタ組立部品を提供することである。
【０００６】
更に、本発明の他の目的は、従来組み立てられたものより高価でない、改良型のコネクタ組立部品を提供することである。
【０００７】
更に、本発明の他の目的は、組立の容易さのために容易に配置できる構成要素を含むコネクタ組立部品を提供することである。
【０００８】
更に、本発明の他の目的は、改良されたケーブル接地の方法を提供することである。
【０００９】
【課題を解決するための手段】
本発明は、絶縁ハウジング及び導電接地シェルから成るコネクタ組立部品を提供することによって、これら及び他の目的を成し遂げる。絶縁ハウジングは、第１の長さから第２の長さへハウジングの縦軸方向に伸び、
（ａ）少なくとも接点の一部及びケーブルのセクションを含むように組み立てられて配置され、接地線編組から成り接点に接続するように適応される第１の通路、
（ｂ）絶縁ハウジングの外面から、第１の通路まで伸びている、少なくとも１つの第２の通路、及び
（ｃ）絶縁ハウジングの外面内のチャネルを含み、
導電接地シェルは、第１の端部から第２の端部へ接地シェルの縦軸方向に伸び、絶縁ハウジングと嵌合するように配置され、組み立てられる。導電接地シェルは、絶縁ハウジングの各々の第２の通路に挿入可能な少なくとも１つの脚部を含み、その脚部は接地線編組を嵌合しかつ分離するために、第１の通路への方向、及び反対方向へ屈曲可能である。導電接地シェルは更に、絶縁ハウジングのチャネルと嵌合するために組み立てられ、配置される領域を含む。ケーブル接地の方法もまた開示される。
【００１０】
【発明の実施の形態】
本発明のコネクタ組立部品は、絶縁ハウジングと嵌合するように組み立てられ、配置された絶縁ハウジング及び導電接地シェルを含む。図１は、絶縁ハウジング１０及び導電接地シェル１２を描写する。絶縁ハウジング１０は、ハウジングの縦軸１６の方向１４に、第１長さ１８から第２長さ２０まで伸びる。実施例を参照すると、第１長さ１８は一般に円筒形の形状を有し、第２長さ２０は一般に平行六面体の形状を有する。本発明の絶縁ハウジングは、少なくとも接点の一部を含むように組み立てられ、配置された第１の通路、並びに従来の接地線編組及び中心コンダクタを含む同軸ケーブルから成り、ケーブルは接点と電気的に接続するように適応される。例えば、図２に最も良く図示されるように、絶縁ハウジング１０は、少なくとも接点２６の一部２４、及びケーブル３０のセクション２８を含むように組み立てられ、配置された第１通路２２から成る。ケーブル３０は、接地線編組３２及び中心コンダクタ３４を含む。従来の方法では、例えば溶接またはクリンプ加工のような方法で、中心コンダクタ３４は電気的かつ機械的に接点２６に接続できた。図２で図示される実施例では、以下でより詳細に説明するように、中心コンダクタ３４は、接点２６と接触するように端部を曲げられる。接点２６は従来のピン３６及び導電クリンプ加工タブ３８から成るオス接点として描写されているが、所望するならばメス接点をオス接点の代用にしてもよい。例えば、オス接点２６は、図３で描かれるメス接点４０と交換してもよく、メス接点４０は従来のフェルール４２及び導電クリンプ加工タブ４４から成っている。この実施例では、メス接点の端部４６が絶縁ハウジング１０の端部４８と隣接するように、メス接点４０の全長を含むように第１の通路２２は組み立てられ、配置できる。
【００１１】
図１及び図２に図示された実施例では、第１通路２２は、
（ａ）絶縁ハウジング１０から絶縁ハウジング１０の第１長さ１８内で伸びるピン３６の一部を除いて、接点２６の全てを含む部分２４、
（ｂ）絶縁ハウジング１０の第２長さ２０内のケーブル３０のセクション２８の被覆されたセグメント、及び
（ｃ）接点２６に隣接する露出された中心コンダクタ３４の長さを含むように組み立てられ、配置される。
【００１２】
絶縁ハウジング１０は、各第２通路５０が通路２２を横切るように絶縁ハウジングの外面５２から第１通路２２まで伸びる、少なくとも１つの第２通路５０を含む。図１及び図２で図示される実施例では、各第２通路５０は、第２長さ２０に配置される。制限なしで、図１及び図２で図示される実施例では、ハウジングの縦軸１６に関して約９０度だけ円周方向５４に互いに間隔をおいた２つの第２通路５０がある。
【００１３】
本発明の絶縁ハウジングは、その外面内にチャネルを含む。図１で図示される実施例では、この種のチャネルは、絶縁ハウジング１０の第１長さ１８に位置する。特に、図１及び図４で図示される実施例では、チャネル５６は絶縁ハウジング１０の外面で提供される。チャネル５６は、ベース５８、ベースの１つのエッジ６２から伸び第１凹部６４を提供するために組み立てられる窪んだ場所に配置された第１壁体６０、及びベースに対向するエッジ６８から伸び対向する第２凹部７０を提供するために組み立てられる窪んだ場所に配置された対向する第２壁体６６を含む。
【００１４】
本発明のコネクタ組立部品の導電接地シェル１２は、接地シェルの縦軸７４の方向に、第１端部７６から第２端部７８まで伸びる。導電接地シェル１２は、接地線編組３２を各々噛み合わせ、分離するために、第２通路５０に挿入可能で、第１の通路２２の方向、及び反対方向へ屈曲可能な少なくとも１つの脚部８０を含む。図１及び図２で図示される実施例では、後述するように、接地線編組３２を噛み合わせ、分離するために各々が第２通路５０に挿入可能で、第１通路２２の方向及び反対方向へ屈曲可能な２つの脚部８０がある。２つの脚部８０は、接地シェルの縦軸７４に関して約９０度だけ、円周方向８２に互いに間隔をおいている。２つの脚部８０は、導電接地シェル１２の第１端部７６に位置する。
【００１５】
本発明の導電接地シェルもまた、本発明の絶縁ハウジング内で周辺のチャネルと嵌合するように組み立てられ、配置される領域を含む。例えば、図１及び図４の実施例では、導電接地シェル１２は、絶縁ハウジング１０のチャネル５６と嵌合する領域８４を含む。領域８４は、導電接地シェル１２の第２端部７８に位置する。領域８４は、第１凹部６４まで伸び、嵌合するように組み立てられ配置された細長い第１フランジ８６、及び対向する細長い第２フランジ８８、並びにチャネル５６に対向する第２凹部７０から成る。
【００１６】
図１及び図２の実施例では、絶縁ハウジング１０は、絶縁ハウジングの外面から第１の通路２２まで、絶縁ハウジングの第１長さ１８において、伸びる第３通路９０を含む。後述するように、それらが第１通路２２に挿入される時、第３通路９０は接点２６及びケーブル３０へのアクセスを提供する。
【００１７】
本発明のコネクタ組立部品の動作が、図１、図２及び図４を参照して記載される。ケーブル３０の端部９２は、中心コンダクタ３４の長さを露出するために従来の方法でトリムされる。接点２６は、絶縁ハウジング１０の端部４８で、第１通路２２にコンダクタクリンプ加工タブ３８が第３通路９０を通して見えるまで挿入され、図２で図示されるように、ピン３６は絶縁ハウジングから外向きに伸びる。ケーブル３０の端部９２は、第１通路２２に絶縁ハウジングの端部９４で、中心コンダクタ３４がコンダクタクリンプ加工タブ３８の近くで接点２６と重なり、第３通路９０を通して見えるまで挿入される。接点２６は、中心コンダクタ３４内部にコンダクタクリンプ加工タブ３８を端を曲げ込むことによって、電気的かつ機械的にケーブル３０に接続される。このために、従来のクリンプ加工ツールは、第３通路９０に挿入できる。中心コンダクタ３４の接点２６への接続を更に容易にするために、第３通路９０は、例えば圧縮される開口部９６で、絶縁ハウジング１０を完全に貫通して伸びてもよい。導電接地シェル１２は、導電接地シェル１２の端部７８のフランジ９８が絶縁ハウジングの端部４８に接するまで、ピン３６及び絶縁ハウジングの端部４８を導電接地シェルに端部７６で挿入することにより、絶縁ハウジング１０と嵌合する。導電接地シェル１２内部への絶縁ハウジング１０の挿入は、図１で図示される実施例では、領域８４とチャネル５６を一直線に並べること、及び絶縁ハウジングを導電接地シェルに滑り込ませる間、領域８４及びチャネル５６を嵌合することにより容易にされる。フランジ９８が端部４８に接する時、脚部８０が各第２通路５０に挿入されるために配置されるように、導電接地シェル１２は必要な大きさにされる。このために、脚部８０が位置１００で曲げられ、各脚部１０４がケーブル３０と嵌合するまで、各脚部８０の長さ１０２は各第２通路５０に挿入される。図５を参照すると、ケーブル３０の被覆１０８を貫通する切断面１０６を提供するために、各脚部１０４が組み立てられて配置され、ケーブルの接地線編組３２との電気的な接続に影響を与える。
【００１８】
本発明の絶縁ハウジングは、より突出した導電接地シェルとの噛み合わせを考慮に入れることができる。例えば、図１及び図２で図示される実施例では、絶縁ハウジング１０は、各第２通路５０に隣接した凹部１１０を含む。各凹部１１０の高さは、導電接地シェル１２が作られる導電材料の厚みと実質的に等しく、従って、各凹部１１０の高さは各脚部８０の長さ１１２の厚みと実質的に等しい。この方法で、各第２通路５０に完全に挿入されると、折り曲げ動作の間に凹部１１０に押し下げられる結果として長さ１１２が外面５２と同じ高さであるように、各脚部８０を必要な大きさにできる。
【００１９】
接点２６を正しい位置に保持するために、絶縁ハウジング１０の第１通路２２にいったん挿入されたら、接点の一部により嵌合することができる壁体１１４を提供するために第３通路９０は組み立てられ、配置される。例えば、図２で図示するように、接点２６が第１通路２２に挿入された後、絶縁ハウジング１０の第２長さ２０と反対の軸１６の方向１４に接点２６が動かないようにする壁体１１４と嵌合するために、接点２６の１個または複数のタブ１１６を曲げることができる。
【００２０】
接点２６の絶縁ハウジング１０の第１通路２２への挿入を容易にするために、絶縁ハウジング及び接点は互いに嵌合するように組み立てられ、配置される。例えば、図１で図示される実施例では、絶縁ハウジング１０は、絶縁ハウジングの第１通路２２に隣接する第１の長さ１８において、対向する溝１１８を含む。同様に、接点２６は、接点から伸び、接点が通路２２に挿入される時に溝１１８と嵌合する、対向して伸びるタブ１２０を含んでもよい。
【００２１】
図６に描かれる他の実施例では、絶縁ハウジング１０’は図１の絶縁ハウジング１０と交換できる。類似の参照番号が類似の要素に対応する絶縁ハウジング１０’は、絶縁ハウジングの第２長さ２０と一体化した第１の構成要素１２２、及び第１構成要素１２２と第２構成要素１２４の間のインタフェース１２６において、第１通路２２’を提供するために取り付けられるように組み立てられ、配置された第２の構成要素１２４を含む２つの嵌め合い部品から成る第１の長さ１８’を除き、絶縁ハウジング１０と同一である。この実施例では、接点２６が第１構成要素１２２の開口部１２８の内部に配置されることを除いて、ピン３６が絶縁ハウジング１０’から伸び、図１で仮想線にて図示されるように実施例では曲げられてていないタブ１１６が壁体１３０と嵌合するように、本発明のコネクタ組立部品は図１の実施例と同じ方法で組み立てられる。この実施例では、接点２６が正しい位置に挿入された後、中心コンダクタ３４は接点２６のタブ３８と電気的かつ機械的に接続される。この接続が完了すると、接点２６及び中心コンダクタ３４を第１構成要素１２２の通路２２’の部分１３２と第２構成要素１２４の通路２２’の部分１３４の間にはさみ込むために、第２構成要素１２４が第１構成要素１２２に取り付けられる。制限なしで、第１構成要素１２２及び第２の構成要素１２４は、スナップに類似した締め付け具１３６及び１３８を嵌合することにより接合できる。
【００２２】
本発明のコネクタ組立部品の組立ては、従来の手順を使用して達成してもよい。例えば、接点２６、４０及び導電接地シェル１２は金属シートから打ち抜いてもよく、所望の形状を形成するために圧延及び曲げの両方または一方を施される。絶縁ハウジング１０は、プラスチックの材料からモールドしてもよい。
【００２３】
以上、本発明の好ましい実施例について図示し記載したが、特許請求の範囲によって定められる本発明の範囲から逸脱することなしに種々の変形及び変更がなし得ることは、当業者には明らかであろう。
【図面の簡単な説明】
【図１】本発明を実施しているコネクタ組立部品の分解組立図である。
【図２】線２-２に沿う図１の組み立てられたコネクタ組立部品の断面図である。
【図３】本発明のメス接点の斜視図である。
【図４】線３-３に沿う図１の組み立てられたコネクタ組立部品の断面図である。
【図５】電気的に同軸ケーブルの接地線編組と接触している本発明のコネクタ組立部品の脚部の略図である。
【図６】本発明のコネクタ組立部品の絶縁ハウジングの他の実施例の分解組立図である。
【符号の説明】
１０  絶縁ハウジング
１２  導電接地シェル
１４，５４，７２，８２  方向
１６，７４  縦軸
１８，２０，１０２，１１２  長さ
２２，５０，９０  通路
２４，１３２，１３４  部分
２６  接点
２８  セクション
３０  ケーブル
３２  接地線編組
３４  中心コンダクタ
３６  ピン
３８，４４，１１６，１２０  タブ
４０  メス接点
４２  フェルール
４６，４８，７６，７８，９２，９４  端部
５２  外面
５６  チャネル
５８  ベース
６０，６６，１１４，１３０  壁体
６２，６８  エッジ
６４，７０，１１０  凹部
８０，１０４  脚部
８４  領域
８６，８８，９８  フランジ
９６，１２８  開口部
１０６  切断面
１０８  被覆
１１８  溝
１２２，１２４  構成要素
１２６  インタフェース
１３６，１３８  締め付け具
【図１】
0003592560.tif 000002
【図２】
0003592560.tif 000003
【図３】
0003592560.tif 000004
【図４】
0003592560.tif 000005
【図５】
0003592560.tif 000006
【図６】
0003592560.tif 000007